(57)【要約】      （修正有）【課題】消費者が、缶に直接唇を接触せずに飲むことのできる飲料缶用唇マウスピースを提供。【解決手段】唇マウスピース衛生器具（１）は、半月形または類似の形状であるプラスチック材料パネルで作成され、適切な割合で内部アーチ（３）と織り合わせた支持縁部（２）を構成することができ、一方、外側（４）は、器具を缶（Ｌ）のカバー（Ｔ）に平易な方法で取り付けられるようにする理想的な構造および寸法を有し、使い捨て衛生器具（１）の底面、特にアーチ形側部（３）の底部輪郭に掴み部（５）の形状で折られ、厚さ（Ｘ）は、カバー（Ｔ）の開口注ぎ部（Ｖ）の縁の厚さにより寸法が決定され、衛生器具（１）は、保護カプセル（６）内に詰められ、熱密封され、缶（Ｌ）とともに供給されるキットを作成。【選択図】図２
2007254025.tif 000002
【特許請求の範囲】
【請求項１】
使い捨て衛生器具、特にアルミ缶（Ｌ）に入っていてすぐに飲める飲料の衛生要素として使用される唇マウスピース衛生器具（１）であって、前記唇マウスピース衛生器具（１）は、半月形またはこれに類似の形状を採用するプラスチック・パネルで作成され、適切な割合で内部アーチ（３）により混交した支持縁部（２）を構成することができ、一方、半月形の外側（４）が前記器具を前記缶（Ｌ）のカバー（Ｔ）によって限定された空間に取り付けられるようにする理想的な構造および寸法を有し、特に、アーチ形側部（３）の内部輪郭で握り部（５）の形状に折られ、厚さ（Ｘ）が前記カバー（Ｔ）の開口注ぎ部（Ｖ）の縁の厚さにより寸法が決定され、前記器具（１）は、保護カプセル（６）に詰められ、熱密封され、前記缶（Ｌ）とともに供給されるキットを作成することを特徴とする使い捨て衛生器具。
【請求項２】
前記パネルを製造するために使用される材料は、無毒でかつ、可撓性で２５から４０ショアーＡの範囲である低硬度のＰＶＣであることを特徴とする、請求項１に記載の使い捨て衛生器具。
【請求項３】
前記使い捨て衛星器具は、前記缶（Ｌ）の開口注ぎ部（Ｖ）に取り付けた場合にアーチ状形態であり、前記縁部（２）を前記缶（Ｌ）の前記カバー上および前記開口注ぎ部（Ｖ）の傍らで支持された状態に維持し、一方、アーチ状縁部が前記開口注ぎ部（Ｖ）の曲線と一致することを特徴とする、請求項１および２に記載の使い捨て衛生器具。
【請求項４】
前記パネルの使い捨て衛生器具（１）は、前記開口した注ぎ部（Ｂ）に取付けられる際、前記缶のカバーおよび本体に対してある角度（α）で突出した状態を維持することを特徴とする、請求項１、２および３に記載の使い捨て衛生器具。
【請求項５】
好ましい構造では、前記使い捨て衛星器具は、糊付け点または任意の他の状態で配置でき、前記固定は前記カバー（Ｔ）表面上ばかりでなく、前記缶（Ｌ）の底または側部の外面上でされていることを特徴とする、請求項１に記載の使い捨て衛生器具。
【請求項６】
前記缶（Ｌ）に対し前記器具が、前記缶本体の任意の底部側部に配置された取り外し縁部（Ｓ１）を含む接着シール（Ｓ）で前記缶の底部に固定され、ユーザが前記缶（Ｌ）の中にある飲料を飲む直前に前記取り外し縁部（Ｓ１）を引っ張り、接着シール（Ｓ）を取り外し、その後、前記衛生器具（１）が保護部（６）から外され、前記缶（Ｌ）の開口注ぎ部（Ｖ）に位置決めされることを特徴とする、請求項１に記載の使い捨て衛生器具。
【請求項７】
前記使い捨て衛生器具（１）を前記缶（Ｌ）の本体の回りに別の方法で配置し、これを含む前記保護部（６）を、糊付けまたは任意の他の適切な方法で前記缶（Ｌ）側部のある点に固定することを特徴とする、請求項１に記載の使い捨て衛生器具。
【発明の詳細な説明】
【技術分野】
【０００１】
本発明は、すぐに飲める飲料の入った容器であるアルミ缶の開口注ぎ部と一緒に使用するように開発された唇マウスピースの使い捨て衛生器具に関する。上記使い捨て衛生器具は、小さいプラスチック・パネルを備え、このプラスチック・パネルは、半月形であることが好ましく、缶の開口注ぎ部上に素早く取り付く手段を設けた表面の１つを表し、缶の内側にある液体を注ぐ唇マウスピースであり、ユーザが自分の唇をカバーに接触させない、または缶から出る液体もその外周壁に接触させないことを確実にする。
【背景技術】
【０００２】
レストラン、バー、スーパーマーケットなどのアルミ缶飲料販売店の大規模小売店は、一定の量の缶を仕入れることにより、これを通常は衛生状態の悪い倉庫、部屋などに、および他の場所に保管する。しかし、様々な動物および昆虫からの汚染で缶が汚染され、これらが通過するにつれて残留物が堆積すると、これが菌類および細菌となり、多くの場合、缶の表面に残ることは周知である。消費者は手に入れた飲料缶を、注意を払わずに、開封し、唇をつけて液体を飲むので、この瞬間にこのような缶の表面に蓄積した全ての汚れを摂取する危険性を有する。
【０００３】
液体を飲む前に開口注ぎ部の周囲を洗浄することに関心がある消費者を見いだすことは稀であり、そのために原因が分かりもせずに多くの病気にかかり、細菌によっては死ぬこともあるかもしれない。
【０００４】
このような発症を防止したり、減少させようとして缶の、本体の小さい頂部および底部の他にも、缶のカバーおよび本体の再入部分を含むリングとして使用される熱可塑性シールが既に周知である。上記リングは、開口部を保護するものであるが、金属に接着しないという大きな不都合を有し、これにより汚れの蓄積が生じる微小な空間が生じ、それ故、菌類および細菌の増殖を助長する。
【０００５】
他の類似のシールが既に開発されているが、その多くは非効率であるか、全体として高い産業的価値を低下させるもので、最終的には飲料缶に組み込むのに実際的ではなくなる。
【発明の開示】
【発明が解決しようとする課題】
【０００６】
したがって、実際に与えられた保護では汚染から防御することができず、飲料を消費者に消費する前の局部的な衛生に対して責任を持ってもらうことになっている。
【課題を解決するための手段】
【０００７】
最新技術により現在のところ最低の費用、大規模生産で、消費者に使いやすいように提供されているものとは異なる特徴を有する使い捨ての衛生器具を提供するために、本発明の出願人は、すぐに飲めるアルミ缶の開口注ぎ部に取り付ける唇マウスピースとして使用する使い捨ての器具を開発し、該使い捨て器具は、プラスチック・パネル、であって、好ましくは、無毒のＰＶＣから開発され、使い捨てかつリサイクル可能であり、上記使い捨て器具を目的とする理想的な寸法により特に開発され、密封された保護カプセル内に包装され、飲料缶とともに提供でき、缶のカバー表面のすぐ上に位置することが好ましく、破断リング上に取り付けられ、これにより消費者が開口注ぎ部からリングを通してシールを引き剥がす瞬間まで、上記リングが上記位置に残り、これで消費者はマウスピース器具へアクセスでき、後述する説明のようにその器具をマウスピース缶の開口部注ぎ部に置けるように操作することができる。
【０００８】
唇マウスピースの衛生器具は、下方向掴み部として示され、より詳細には半月状の内縁部から、開口注ぎ部の周縁部に取り付けるように設計された厚さを持つ「Ｌ」字折り目を設けている。
【０００９】
それ故、ユーザが衛生器具を密封したパッケージから既に取り出している場合は、パネルを缶のカバーおよび本体に対してアーチ状に角度をつけた状態で突出させるように、開口注ぎ部上に握り部を取り付けるだけでよい。したがって、中身を飲むために唇を近づける場合、消費者は唇マウスピース器具に接触するだけであり、汚れているかもしれない缶の部分と接触することを回避する。
【００１０】
なお、シール形状の被覆カプセルはプラスチックで作成されているので、宣伝手段を含めることができ、一般的に大衆に印象づけることができる。
【００１１】
開封する前に器具と缶カバーとをより良く固定するために、接着または別の方法で保護カプセルを前記カバーに固定することができる。前記固定は、カバー表面ばかりでなく、缶の底面または外側面で行なってもよい。
【００１２】
本発明の特徴を、より良く理解できるようにその好ましい性能にしたがって本発明を補足するために、一連の図面を参照しながら説明してきたが、これは例示としてのものであって、それに制限するものではない。
【発明を実施するための最良の形態】
【００１３】
例示としての図面を参照すると、本発明は、「使い捨て衛生器具」について説明され、特に、アルミ缶（Ｌ）に入っていてすぐに飲める飲料の衛生要素として使用される唇マウスピース器具（１）について説明され、上記使い捨て衛生器具（１）は、プラスチック・パネル、好ましくは無毒でかつ可撓性で硬度が低いＰＶＣから開発され、２５から４０ショアーＡの範囲であり、使い捨てでかつリサイクル可能であり、上記パネルは半月形またはこれに類似の形状を有し、適切な割合で内側アーチ（３）と混交（interweaved）した支持縁部（２）を構成することができるとともに、半月の外側（４）は、器具を缶（Ｌ）のカバー（Ｔ）によって限定された空間に取り付けられるようにする理想的な構造および寸法を有する。
【００１４】
使い捨て衛生器具（１）を開口注ぎ部（Ｖ）上に配置すると、缶（Ｌ）の中の液体が缶のカバーに積もりやすい汚れと接触するのを防止するばかりでなく、子供、または上記開口注ぎ部、すなわち薄く切削された厚さの缶の部分に自分の舌または指を不注意に持って行く人に切り傷を与える事故の発生も防止する。
【００１５】
使い捨て衛生器具（１）を開口注ぎ部（Ｖ）に配置すると、上記危険が解消される。何故なら、半月状の内縁部から生ずる下側掴み部（５）により、開口注ぎ部の全輪郭がプラスチックに覆われ、事故を防止する薄膜を生成するからである。
【００１６】
使い捨て衛生器具（１）の底面、より詳細にはアーチ側（３）の下側の輪郭には、掴み部（５）の形状の折り目が配置され、その厚さ（Ｘ）は、カバー（Ｔ）の開口注ぎ部（Ｖ）の縁の厚さにより寸法が決定される。
【００１７】
使い捨て衛生器具（１）は、保護カプセル（６）に詰められ、熱密封され、缶（Ｌ）とともに供給されるキットを作成し、好ましくは、カバー（Ｔ）表面に配置され、破断リング（Ａ）の上に取り付けられる。そして、保護されたカプセル入り（６）の使い捨て衛生器具（１）は、消費者が開口注ぎ部（Ｖ）からリング（Ａ）によりシールを破断する瞬間まで、この位置に留まることができ、又、その瞬間に消費者が取り付け輪郭の掴み部（５）で開口注ぎ部（V）の上に取り付くように操作することができる使い捨て衛生器具（１）にアクセスする。
【００１８】
上記位置で、使い捨て衛生器具は、縁部（２）が缶のカバー上で、および開口注ぎ部（Ｖ）の傍らで相互に支持してアーチ形を形成し、縁部を開口部の曲線と一致するアーチ状に維持し、器具のパネルは、缶のカバーおよび本体に対して角度（α）で示すように、傾斜した状態で突出する。これによりユーザは唇マウスピース衛生器具（１）にしか接触できないようにして、汚れているかもしれない缶（Ｌ）の部分との接触を回避する。
【００１９】
使い捨て衛生器具（１）の形状を強調するために、上から見ると、プラスチック・パネルは、液体を溢れやすくする要素が一切なく、なめらかである。これに対して、下から見ると、アーチ状側部（３）の底部の縁に設ける掴み部（５）を見ることができる。これは上記開口注ぎ部を固定することを目的とする。
【００２０】
図５および図６は、缶（Ｌ）に対する使い捨て衛生器具の配置の代替形態を示すものであり、接着シール（Ｓ）が上記缶の底部に固定され、この接着シールは取り外し縁部（Ｓ１）を含み、この取り外し縁部は、缶本体（Ｌ）の底側の任意の地点に配置される。
【００２１】
接着シール（Ｓ）は、缶（Ｌ）の内部の飲料をユーザが実際に飲む直前に取り外される。取り外し縁部（Ｓ１）は引っ張られ、これは特に図６で示され、缶（Ｌ）の開口注ぎ部（Ｖ）と一緒に配置される。
【００２２】
図７は、缶本体（Ｌ）とともに使い捨て衛生器具（１）の別の形態を示し、それを含む保護部（６）が、例えば、糊付け(collage)または任意の他の適切な方法で缶（Ｌ）の側部に固定される。
【００２３】
その形状から本明細書中で提案された使い捨て衛生器具（1）は、関連する特徴として、参照（M）により宣伝のメッセージとして示された図3から概要が分かるように、そのメッセージの伝達手段としても使用されるということを表している。
【図面の簡単な説明】
【００２４】
【図１】通常の位置に、すなわち缶のカバー上に配置した状態の唇マウスピース衛生器具の概略図である。
【図２】破断リングによって既に開封された注ぎ口、および分解図である。保護カプセルに含まれた唇マウスピース衛生器具を有する缶を示す。
【図３】消費者がすぐに使えるように開口注ぎ部に取り付けられた衛生器具である。
【図４】開口注ぎ部に取り付けられた衛生器具の切断側面図である。
【図５】下方向の角度から示した、缶の下に配置された状態の衛生器具の配置の別の形態である。
【図６】図５の分解図である。
【図７】缶の側部に配置された衛生器具の別の形態である。
【符号の説明】
【００２５】
Ｌ…アルミ缶                  Ｔ…アルミ缶のカバー
Ｖ…開口注ぎ部                １…使い捨て衛生器具
２…支持縁部                  ３…内側アーチ
４…半月形の外側              ５…掴み部
６…保護カプセル
【図１】
2007254025.tif 000003
【図２】
2007254025.tif 000004
【図３】
2007254025.tif 000005
【図４】
2007254025.tif 000006
【図５】
2007254025.tif 000007
【図６】
2007254025.tif 000008
【図７】
2007254025.tif 000009